(57)【要約】
【課題】　ソフトダーツ及び金属ダーツに使用するダーツボード構造を提供する。
【解決手段】
　ターゲットセグメント３０の適当な位置に、ダーツが刺さる弾性チップ孔３１１を少なくとも一つ設け、チップ孔の円周部を変形可能な弾力性のある開口構造として、多種の異なるサイズ、メーカのダーツチップを軽易に挟み保持できるようにする。弾性チップ孔は弾力があるため、ダーツチップが太いときにはチップ孔は適度に広げられてダーツを挟み込む。ダーツチップが細くてもチップ孔はダーツを収納、挟み保持できる。弾性チップ孔下端に軟質部材を設けることによってダーツが弾性チップ孔を通った後、より堅固に軟質部材上に保持されるようにすることができる。
【選択図】　　　　図６
0003099516.tif 000002
【実用新案登録請求の範囲】
【請求項１】
ターゲットセグメントの適当な位置に弾性チップ孔を少なくとも一つ設け、弾性チップ孔の適当な円周部に、少なくとも一つの開口構造を設けることにより、異なる大きさのダーツ、チップが挟み保持されるようにして成ることを特徴とするソフトダーツ及び金属ダーツに使用するダーツボード構造。
【請求項２】
　ターゲットセグメントに少なくとも一つの感圧突起を設けて導電センサスイッチを駆動できるようにして成ることを特徴とする請求項１記載のソフトダーツ及び金属ダーツに使用するダーツボード構造。
【請求項３】
　ターゲットセグメントの適当な位置に弾性チップ孔を少なくとも一つ設け、複数の弾性チップ孔の間を連ねる開口構造を設けた弾性チップ凹部を具有し、該弾性チップ凹部は多種サイズのダーツ、チップを容易に挟んで保持されやすいことを特徴とするソフトダーツ及び金属ダーツに使用するダーツボード構造。
【請求項４】
　導電センサスイッチに接触するべくターゲットセグメントは少なくと一つの感圧突起が設けられていることを特徴とする請求項３記載のソフトダーツ及び金属ダーツに使用するダーツボード構造。
【請求項５】
　弾性チップ凹部に底板が設けられていることを特徴とする請求項１、３記載のソフトダーツ及び金属ダーツに使用するダーツボード構造。
【請求項６】
　弾性チップ孔の底部は延伸してダートキャッチャーを形成していることを特徴とする請求項１、３記載のソフトダーツ及び金属ダーツに使用するダーツボード構造。
【請求項７】
　ターゲットセグメントの前面に貫通ガイド孔６３を多数設けたガイドパネルを設けてなり、そのガイドパネルのガイド孔も弾性チップ孔の構造を有することを特徴とする請求項１、３記載のソフトダーツ及び金属ダーツに使用するダーツボード構造。
【請求項８】
　弾性チップ孔を具有するターゲットセグメントの後方端には、少なくとも一層の軟質部材が設けられており、該軟質部材はチップが挿入されて保持され、ダーツの保持能力を増加させることを特徴とするソフトダーツ及び金属ダーツに使用するダーツボード構造。
【請求項９】
前記軟質部材にはダーツを挟み込むべく少なくとも一つのチップ孔が設けられていることを特徴とする請求項８記載のソフトダーツ及び金属ダーツに使用するダーツボード構造。
【請求項１０】
ターゲットセグメントには、導電センサスイッチに接触するべく少なくとも一つの感圧突起が一つ設けられていることを特徴とする請求項８記載のソフトダーツ及び金属ダーツに使用するダーツボード構造。
【考案の詳細な説明】
【技術分野】
【０００１】
　本考案はソフトダーツ及び金属ダーツに使用するダーツボード構造に関し、特にターゲットセグメントの構造改良によってサイズの異なるダーツチップを軽易に挟み保持するダーツボード構造に関する。
【背景技術】
【０００２】
公知の蜂の巣タイプのエレクトリックダーツボードのターゲットセグメントのチップ孔はサイズ保持のチップ孔であり、弾力はまったくない。そのためチップ孔には単一メーカのダーツチップしか適さない。すなわち製品購入時の付属チップだけである。使用者が付属のダーツチップを何度も長時間にわたり使用すれば損傷、遺失していくため、ダーツチップを購入しなければならなくなる。しかし必ずしも同じメーカ、同じサイズのダーツが購入できるとは限らず、チップが太かったり細かったりするかもしれない。チップとチップ孔の保持がゆる過ぎれば、チップはチップ孔に保持されず、ダーツ落下がたびたび起こり、正確にスコアが計算できないばかりか、ダーツがターゲットセグメントに挿入されずに他の蜂の巣ターゲットセグメントのセンサユニットに当たって騒音とスコアミスが生じ、自動スコア計算の障害となる上、ダーツが床に落ちてダーツチップの大量損壊を招くことになる。ダーツチップとチップ孔の保持がきつ過ぎれば、チップがきつく挟まれているため、ダーツをターゲットセグメントから引き抜くのにたいへん力を要する。これでは遊戯者の楽しみも半減し、チップの折れ、損壊、割れが非常に起こりやすくなり、不経済、時間浪費且つ面倒なこととなる。
【考案の開示】
【考案が解決しようとする課題】
【０００３】
　本考案は、上記公知のエレクトリックダーツボード構造が長い間克服できなかったこれらの欠点を解決する。
【課題を解決するための手段】
【０００４】
　上記課題を解決するため、本考案はソフトダーツ及び金属ダーツに使用するダーツボードのターゲットセグメントと弾性チップ孔の特殊な簡易組み合わせ構造を提供する。ターゲットセグメントの特殊チップ孔構造は、弾力で孔内部の大きさを調節する能力を具えており、異なるサイズ、異なるメーカのダーツチップに適用できる。これにより消費者のダーツ、チップの買い間違いの悩みを具体的に解決し、多種のダーツチップの適用性と自動スコア計算の正確度を高めるほか、ダーツとターゲットセグメントの使用寿命も向上するため、ひいてはダーツボードの使用効果を増進して商品価値が高まる。
【０００５】
　また、本考案は弾性チップ孔の下端に軟質部材を設置することにより、ソフトダーツと金属ダーツが弾性チップ孔に入った後、より堅固に軟質部材内に挿入保持できるようにし、ダーツのターゲットセグメントに与える損傷と騒音を減少し、製品の優越性を増進する。
【考案の効果】
【０００６】
　本考案はターゲットセグメントの適当な位置に、ダーツが刺さる弾性チップ孔を少なくとも一つ設け、チップ孔の円周の適当な位置に開口構造を設けて異なるサイズのダーツ、チップを軽易に挟み保持できるようにした。この特殊な弾性チップ孔は孔内の大きさを弾力で調節する機能をもつことにより、多様なサイズ、規格のダーツチップを挟み保持でき、メーカ及びサイズの制限を受けず、ターゲットセグメントのチップ孔はダーツ、チップを弾力で挟み保持する機能をもつため、ダーツ使用の利便性が向上し、製品としてより完成したものと成る。また、本考案は弾性チップ孔の下端に軟質部材を設けることにより、ダーツが弾性チップ孔を通るとより堅固に軟質部材内に挿入保持され、ダーツがターゲットセグメントに与える損傷と騒音を減少するとともに、ダーツとダーツボードの使用寿命を増進し、製品の優越性を向上した。
【考案を実施するための最良の形態】
【０００７】
　　　本考案の好適な実施例を図に沿って説明する。
　図１に、本考案のダーツボードの異なるエリアのターゲットセグメント３０の弾性チップ凹部３１の正面図を示す。図２示すように、本考案のターゲットセグメント３０に、弾性チップ凹部３１を設け、弾性チップ凹部３１は少なくとも一つの弾性チップ孔３１１から構成される。この特殊な弾性チップ孔３１１によってつき抜けたダーツ２０を挟み保持する。開口３１３を弾性チップ孔３１１の円周に連続して設け、弾性チップ孔３１１を連ねて連続した開口構造を形成して、弾性チップ孔３１１に適度な拡大と収縮機能をもたせる。ダーツチップ２０のサイズが大きいとき、差し込まれると弾性チップ孔３１１が瞬時に広がり、破線で示す形状の変形弾性チップ孔３１２を形成し、ダーツチップ２０を挟み保持する。ダーツ２０を引き抜くと、変形弾性チップ孔３１２はもとの弾性チップ孔３１１に回復する。
【０００８】
　図３に示すように、本考案は弾性チップ孔３１１の円周部の適当な位置に弾性チップ孔３１１を連ねて連続した開口３１３を設けて、弾性チップ孔３１１に弾力で孔内部の大きさを調節する機能をもたせる。ダーツ２０が差し込まれるとチップの大きさに応じて破線で示す形状の変形弾性チップ孔３１２となる。よって本考案の特殊弾性チップ孔３１１は異なるサイズのダーツチップ２０を穿設してこれを挟み保持することができる。本考案の弾性チップ孔３１１の開口構造３１３の大きさと形状は必要に応じて変化させてよい。
【０００９】
　図４に本考案のターゲットセグメント３０の弾性チップ凹部３１の立体分解図を示す。
　図５の立体分解図に示すように、本考案のターゲットセグメント３０は、枠１０のそれぞれに対応する凹部内に設ける。
　図６に示すように、本考案のターゲットセグメント３０は枠１０のそれぞれ対応する凹部内に設け、ターゲットセグメント３０中の弾性チップ凹部３１の底部に底板３３を直に成形するか或いは設けることができる。これによりダーツチップ２０がターゲットセグメント３０に挿入される深さを制御し、ダーツチップ２０が弾性チップ孔３１１にきつく引っかからないようにする。ターゲットセグメント３０後方に感圧突起３２Ａを設けて導電センサスイッチ４１に接触して、ＣＰＵが検知結果を音声、光、言語、音楽、ＬＥＤ、ＬＣＤ、バックライトボードなどにより各種自動スコア計算のゲーム方法で表示するようにする。
【００１０】
　図７に示すように、本考案のターゲットセグメント３０は対応する枠１０の凹部内に設け、ターゲットセグメント３０中の弾性チップ凹部３１の弾性チップ孔３１１底部に、延伸してダートキャッチャー３５を形成し、ダーツ２０が弾性チップ孔３１１を通って底部のダートキャッチャー３５に挿入されるようにする。この構造を利用して、ダーツ２０が差し込まれると弾性チップ孔３１１が適度に拡張或いは収縮してスムーズに挿入、導入され、底部のダートキャッチャー３５に挿入されてしっかり保持する。ダートキャッチャー３５は保持サイズのチップ孔で、弾性がないため、ダーツ２０が弾性チップ孔３１１に導入された後、より堅固に底部のダートキャッチャー３５に保持する。
　また、ダートキャッチャー３５の底部に底板３３を直接成形あるいは設けることができ、これによりダーツチップ２０がターゲットセグメントに挿入される深さを制御する。底板３３を設けない構造で、ダートキャッチャー３５の孔を貫通させてもよい。
　ターゲットセグメント３０の後方に感圧突起３２Ａを設け、導電センサスイッチ４１を接触駆動する。或いは延伸して周辺部柱状やパネル状の周辺感圧突起３２Ｂを設けることもでき、その機能は感圧突起３２Ａと同様に、接触して導電センサスイッチ４１を作動させ、ＣＰＵに各ゲームの方法で自動計算スコアを表示させる。
【００１１】
　図８に示すように、本考案の弾性チップ孔３１１の円周部の適当な位置に開口３１３を少なくとも一つ設け、弾性チップ孔３１１が適当に孔内の大きさを調節する機能を具えるようにし、異なるサイズのダーツ、チップ２０がスムーズに導入されて弾性チップ孔３１１底部に延伸するダートキャッチャー３５に挿入保持されるようにする。弾性チップ孔３１１の開口構造３１３の大きさ、数量及び形状は最良の弾性はさみ止め効果が得られるように、必要に応じて変化させてよい。
　また、本考案の弾性チップ孔３１１はダートキャッチャー３５を設置しなくてもよく、その適度な拡張と収縮を利用して、異なるサイズのダーツ、チップ２０を弾力で挟み保持できる。
【００１２】
　図９に示すように、本考案は枠１０にガイドパネル６０を固設し、ガイドパネル６０を貫通してガイド孔６３を多数設ける。ガイド孔６３は弾性チップ孔３１１とすることができ、ガイドパネル６０は保持して動かないため、弾性チップ孔３１１はチップ２０の大きさに応じて適度に拡張することができ、ダーツチップ２０を導入して通し、ターゲットセグメント３０の弾性チップ凹部３１内に垂直に保持させる。このようにして、さまざまなサイズのダーツチップ２０の保持能力と自動スコア計算の正確度が向上する。
　ガイドパネル６０は少なくとも一つのフック６１で枠１０に掛けて保持するという簡単、迅速な固定方法で、ガイドパネル６０を枠１０にしっかり固定し組み立てる。
　ターゲットセグメント３０の底部周辺から延伸して、周辺部柱状或いはパネル状の周変換圧突起３２Ｂを設けることができ、その機能は感圧突起３２Ａと同様に、本体背板５０上の導電センサスイッチ或いはセンサスイッチ４１を押して自動スコア計算の機能を得るものである。
【００１３】
　図１０に示すように、本考案はターゲットセグメントの上端に弾性チップ孔３１１を設け、それぞれの弾性チップ孔３１１に対応する下端に延伸してダートキャッチャー３５を設け、ダートキャッチャー３５は保持サイズであることにより、弾性チップ孔３１１の構造を強化することができる。
　ターゲットセグメント３０の底部をそのまま延伸して、側面に開口部のある空洞部３７１を設けることができる。空洞部３７１の開口部に軟質部材３０１を挿入して保持でき、ダーツ２０は孔内の大きさを調節する弾性チップ孔３１１を突き抜けるとダートキャッチャー３５と軟質部材３０１内にしっかり挿入保持される。
　本考案はダートキャッチャー３５を設置しなくてもよく、ダーツチップ２０が弾性チップ孔３１１を突き抜けた後、直接軟質部材３０１内にささって保持される。
【００１４】
　図１２に示すように、ターゲットセグメント３０の上端に弾性チップ孔３１１を設け、弾性チップ孔３１１に対応する下端に延伸して保持サイズのダートキャッチャー３５を設ける。上ターゲットセグメント３０Ａの側部端に突起３０Ａ２を設け、底板ベース３０Ｂから直接延伸して溝３７３を設けて、軟質部材３０１を装着することができる。底板ベース３０Ｂの外縁に突起３０Ｂ２を設け、突起３０Ｂ２をターゲットセグメント３０の突起３０Ａ２と相互に引っ掛けて固定できる。
　また、軟質部材３０１は斜孔３００１或いは円孔３００２、３００３を直接成型して、ダーツ、チップ２０を挟み挿入保持できる。
【００１５】
　図１０、１１、１２から分るように、軟質部材３０１を保持する構造は空洞部３７１、環状溝３７２、溝３７３以外にも必要に応じて公知の方法で設計を変更してよい。各弾性チップ孔３１１下端は、ダートキャッチャー３５がなくてもよく、ダーツ２０が弾性チップ孔３１１をつき抜けた後、軟質部材３０１内に直接ささり保持されるようにする。
【図面の簡単な説明】
【００１６】
【図１】本考案のダーツボードの異なるエリアのターゲットセグメント正面と弾性チップ凹部の略図である。
【図２】本考案のチップと弾性チップ凹部、チップ孔との挟み保持作用の正面拡大略図である。
【図３】本考案の弾性チップ孔の挟み保持作用の正面拡大略図である。
【図４】本考案のターゲットセグメントの弾性チップ凹部、チップ孔の立体略図である。
【図５】本考案のターゲットセグメントと枠との組み合わせ立体略図である。
【図６】本考案のチップと弾性チップ孔との挟み保持作用の側面略図である。
【図７】本考案のチップと弾性チップ孔との挟み保持作用の側面略図である。
【図８】図７のもう一つの実施例の立体略図である。
【図９】本考案のガイドパネル、ターゲットセグメントと枠の立体分解略図である。
【図１０】本考案のターゲットセグメントの弾性チップ孔と軟質部材の組合わせ側面略図である。
【図１１】本考案のターゲットセグメントの弾性チップ孔と軟質部材の組合わせ側面略図である。
【図１２】本考案のターゲットセグメントの弾性チップ孔と軟質部材の組合せ側面略図である。
【符号の説明】
【００１７】
１０        枠
２０        ダーツ、チップ
３０        ターゲットセグメント
３０A       上ターゲットセグメント
３０Ｂ      底板ベース
３０A１     フランジ
３０Ｂ１    リブ
３０Ａ２    突起
３０Ｂ２    突起
３０１      軟質部材
３００１    斜孔
３００２    円孔
３００３    円孔
３１        弾性チップ凹部
３１１      弾性チップ孔
３１２      変形弾性チップ孔
３１３      開口
３２Ａ      感圧突起
３２Ｂ      周辺感圧突起
３３        底板
３５        ダートキャッチャー
３７１      空洞部
３７２      環状溝
３７３      溝
４１        導電センサスイッチ
５０        本体背板
６０        ガイドパネル
６１        フック
６３        ガイド孔
【図１】
0003099516.tif 000003
【図２】
0003099516.tif 000004
【図３】
0003099516.tif 000005
【図４】
0003099516.tif 000006
【図５】
0003099516.tif 000007
【図６】
0003099516.tif 000008
【図７】
0003099516.tif 000009
【図８】
0003099516.tif 000010
【図９】
0003099516.tif 000011
【図１０】
0003099516.tif 000012
【図１１】
0003099516.tif 000013
【図１２】
0003099516.tif 000014